(57)【要約】      （修正有）【課題】気泡入りガラス体内部のレーザー描画像の美観を損なわない装飾体を提供すること。【解決手段】気泡５を有する透明立体１に描画された画像に外部から光を照射して該画像を光輝させる装飾体において、主画像２および多数の微細な形状の副画像４を形成したことを特徴とする装飾体。【選択図】図１
2007136878.tif 000002
【特許請求の範囲】
【請求項１】
内部に気泡を有する透明立体に描画された主画像に外部から光を照射して該画像を光輝させる装飾体において、該透明立体に多数の微細な形状の副画像を形成したことを特徴とする装飾体。
【請求項２】
前記主画像および副画像が、レーザー照射により透明体内部に描画されたもの、光輝性部材を透明体内部に封入することにより描画されたものまたは透明体表面に凹刻して描画されたもののいずれかであることを特徴とする請求項１記載の装飾体。
【請求項３】
前記副画像の大きさが透明立体内部の気泡と区別できない大きさであることを特徴とする請求項１または２記載の装飾体。
【請求項４】
前記副画像が、星、花びら、葉、雨、雪の少なくとも一種からから選ばれたものであることを特徴とする請求項１から３のいずれかに記載の装飾体。
【請求項５】
前記主画像および副画像が、レーザー照射により透明体内部に描画されたものである場合に、レーザー照射の光軸方向が装飾体を観察する方向と角度を有することを特徴とする請求項２記載の装飾体。
【請求項６】
前記装飾体が神仏具であることを特徴とする請求項１〜５のいずれかに記載の装飾体。
【発明の詳細な説明】
【技術分野】
【０００１】
本発明は、外部から光を照射して画像を光輝させる装飾体に関する。
【背景技術】
【０００２】
神前・仏前又は神事・仏事において、灯明が用いられる。しかし、狭い室内、旅行先、あるいは個人的な信仰や祈りの際のような灯明の火気が使用できない環境において灯明に代わるものが求められている。これに応えるものとして、透明なガラス立体の内部に灯明等の画像をレーザー照射により描画し、外部からLED等の発光体の光を照射して画像を光輝させるようにした神仏具が提案されている（例えば特許文献１）。また、このような透明なガラス立体の内部に画像をレーザー照射により描画し、外部から光を照射して画像を光輝させるようにした装飾体は、神仏具に限らず、室内装飾等にも用いられる。
【特許文献１】実用新案登録第３０９３５００号公報
【発明の開示】
【発明が解決しようとする課題】
【０００３】
このような従来の装飾体や神仏具は、透明ガラス立体内部にレーザー照射により画像を描画したものであり、該ガラス立体に外部から光を照射すると、該画像が光輝すると共に、ガラス内部に存在する気泡部も光輝する。この気泡は、溶融ガラスからガラス立体を製造する際にガラス内部にランダムに多数生じているので、気泡部が光輝すると、光輝画像の印象が低下し、美観および神仏具としての荘厳さが低下する。しかし、気泡の混入を完全に防止するのは技術的経済的に困難さが伴う。本発明は、このような気泡に起因する課題を解決することを目的とするものである。
【課題を解決するための手段】
【０００４】
本発明は、内部に気泡を有する透明立体に描画された画像に外部から光を照射して該画像を光輝させる装飾体において、該透明立体に多数の微細な形状の副画像を形成したことを特徴とする装飾体に関するものである。
【０００５】
本発明の好ましい態様は、前記主画像および副画像が、レーザー照射により透明体内部に描画されたもの、光輝性部材を透明体内部に封入することにより描画されたものまたは透明体表面に凹刻して描画されたもののいずれかであることを特徴とする装飾体に関するものである。
【０００６】
本発明の他の好ましい態様は、前記副画像の大きさが透明立体内部の気泡と区別できない大きさであることを特徴とする装飾体に関するものである。
【０００７】
本発明の他の好ましい態様は、前記副画像が、星、花びら、葉、雨、雪の少なくとも一種からから選ばれたものであることを特徴とする装飾体に関するものである。
【０００８】
本発明の好ましい態様は、前記主画像および副画像がレーザー照射により透明体内部に描画された場合に、レーザー照射の光軸方向が装飾体を観察する方向と角度を有することを特徴とする装飾体に関するものである。
【０００９】
本発明のさらに好ましい態様においては、前記装飾体が神仏具である。
【発明の効果】
【００１０】
本発明の装飾体に外部から光を照射すると、主画像が光輝すると共に、多数の微細な副画像が光輝して、該副画像による装飾的効果を奏すると共に、同時に光輝している気泡と区別がつかなくし、あるいは気泡の存在を目立たなくし、気泡による装飾的価値の低減を防止できる。さらに、気泡が光輝することにより副画像による装飾的効果と共に美観を与える作用を奏する。また、本発明の装飾体の本体である透明立体の表面が傷付いた場合にも、気泡のばあいと同様に傷の存在による美観の低減を防ぐことができる。特に、本発明の装飾体を神仏具として用いるときには、このような効果によって、気泡や傷の存在によって、宗教的荘厳さおよび美観を失うことがなく、むしろ副画像と一体的に観察することにより宗教的荘厳さおよび美観を向上させることができる。
【発明を実施するための最良の形態】
【００１１】
透明体の材料としては、透明またはほぼ透明であれば良く、例えば、ガラス、特にクリスタルガラスは透明度が高いので好ましい。プラスチックも使用できる。アクリル樹脂がプラスチックの中でも透明度、表面硬度、剛性、耐候性に特に優れており、ガラスよりも軽量で破損しにくいので、携帯性を考慮した場合には好ましい。
【００１２】
主画像は、一般的な装飾体としては、人物、花・樹木等の植物、動物、建築物、風景等である。神仏具の場合は灯明の画像および神像、仏像、本尊、名号、神名、信仰のシンボル等の信仰対象画像等である。主画像は平面画像もしくは立体画像のいずれでも良いが、立体画像が好ましい。本発明においては文字も主画像として扱う。
【００１３】
副画像は、多数の微細な画像であり、光照射により光輝したときに、気泡と区別できない大きさが好ましい。神仏具の場合には、シンボル的な画像を散りばめるのが好ましい。たとえば、星座・銀河のような多数の星からなる画像；桜の花が散るときのような多数の花びらの画像；多数の草・草の葉・木・木の葉等の画像；雨・雪が降っている画像等が好ましい。
【００１４】
この透明体内部に主画像および副画像を形成する方法は、公知のレーザー照射法によって行うことができる。一例を挙げると、透明体内部の目標点に複数（例えば３）の極細の高発熱レーザーを照射することにより、複数のピンポイントレーザー光線の集まった目標点が熱変化を起こし「点描」される。この点を、３次元で連続的または断続的につけていくことで任意の画像を透明体内部に描画することができる。レーザー光の発振は、画像の設計図に相当する画像情報をもとにコンピューター制御でプログラムして行う。描画密度に応じて画像の光輝度を調節することができる。
【００１５】
外部から光を照射したときに、主画像および副画像を明瞭に観察するには、主画像および副画像を観察する視線の方向、一般には装飾体の正面、とレーザー照射の光軸方向が角度を有することが好ましい。この角度としては、９０度を中心に前後約４５度の範囲内が好ましい。
【００１６】
透明体内部に画像を形成する他の方法は、別途用意した光輝性部材をガラス、アクリル樹脂等に封入する方法である。光輝性部材としては、ガラス粉、金属粉等の光を乱反射する材料またはこれらをアクリル樹脂、ガラス等の材料中に封入して所望の形状とした成形体が好ましく。その形状は任意であるが、灯明の炎のイメージを表す場合は、球形が好ましい。この光輝性部材を透明体の内部に封入する方法の一例として、この光輝性部材に対応する形状の凹部を有するアクリル板を用意し、その凹部に光輝性部材を埋設し、その上からアクリル樹脂を流し込んで所定の透明体形状に硬化させる方法が好ましい。あるいは、アクリル樹脂体の背後に凹所を設け、そこに光輝性部材を埋設しても良い。
【００１７】
このような方法で形成される主画像および副画像は、透明体の内部にのみ描画されているので、透明体の表面の平滑さは損なわれず、透明体本体は長期間使用してもその表面が汚れることがなく、画像が消滅することもない。
【００１８】
透明体に画像を描画する他の方法として、透明体表面に画像を凹刻する方法がある。具体的には、透明体の観察する側と反対の面、すなわち裏面から画像が凹刻されている。凹刻の深浅により光輝の強度が異なる。たとえば、灯明画像を例にとれば、強く光輝させる炎部がローソク本体部よりも深く凹刻されている。凹刻方法は、透明体の裏面からサンドブラスト、ドリル等の機械的な凹刻方法、レーザー照射による方法、あるいはプラスチックの場合には成形によって形成することができる。
【００１９】
また、凹刻部の内面は疎面であることが好ましい。このようにすることにより、透明体の一端面から透明体の他端面に向かった光線を照射したときに、炎部がローソク本体よりも強く輝き、灯明としての実在感が増す。さらに、凹刻部の内面が疎面であることにより画像がより強く輝く。凹刻面を疎面化するためには、サンドブラストやドリル等による手段で凹刻した後に表面仕上げをしないことで十分であるが、プラスチックの成形やレーザー照射による場合は、適宜サンドブラストや薬品による疎面化手段を講じるのが好ましい。疎面の程度が高いほど、すなわち凹刻面が粗いほど、輝度が増す。したがって、炎部をローソク本体部よりもさらに強く光輝させるためには、炎部の凹刻内面をローソク本体部の凹刻内面よりも疎面にするのが好ましい。その手段としては、たとえば、ローソク本体部をサンドブラストで、炎部をドリルで凹刻することができる。疎面化に替えて、あるいは疎面化とともに、凹刻部内に光照射により輝く光輝性部材を充填するか、あるいは凹刻部内表面に該光輝性部材を塗布することも本考案の実施態様として含まれる。副画像の描画についても意匠的な観点から輝度に強弱を設けることができる。たとえば、星、花びら、葉、雨、雪などを部分的に輝度が異なるように描画すれば、美観がさらに向上する。
【００２０】
このような方法で形成される画像は、透明体の裏面から凹刻により描画されているので、透明体の表面の平滑さは損なわれず、透明体本体は長期間使用してもその表面が汚れることがなく、画像が消滅することもない。
【００２１】
このようにして透明体に描画された主画像および副画像に透明体の外部から光を当てることにより、光が画像部で乱反射されて、画像が光輝する。光源としては、電球、発光ダイオード（LED）、冷陰極蛍光ランプ（CCFL）等、各種のものが使用できるが、LEDは低消費電力、低発熱、長寿命、軽量、携帯性等の面から特に好ましい。透明体の支持台または枠の内部に、一個または複数個のLEDを設けるのが好ましい。LED光源は白色光のほかに適宜の色の光を用いることができるし、複数の色の光源を組合せることもできる。LED光が入射する透明体の面と反対の面に、アルミ箔や鏡のような反射面を設けて透明体を通過した光を反射させて画像面に再度当てることは、光線量を有効に使用して画像に照射する光線量を増加することができるので好ましい。
【００２２】
電源は、適宜の種類のものを使用できるが、使用場所の制限がないことおよび携帯性の点から電池が好ましい。電源のON、OFFは手動で行うこともできるが、携帯用神仏具の場合は、携帯用容器に透明体を収納しておき、透明体を立ち上げたときに自動的に入る接点スイッチを使用することもできる。また、音声に反応してONになり、一定時間経過後に自動的にOFFになるようにすることも、公知のスイッチ手段により可能である。
【実施例】
【００２３】
以下、具体的実施態様について、図面を参照してさらに詳しく説明する。
図１は、灯明型神仏具の１例の斜視図である。高透明クリスタルガラス製の八角柱状の透明体（１）の内部に灯明の炎（２）を立体的に描画してある。また、信仰のシンボル（３）を正面に描画してある。副画像として桜の花びら（４）を散らしてある。気泡は符号５で示してある。台座（６）の受け皿（７）に透明体がはめ込まれ、その下部に光源であるLED（８）がある。台座に電源として乾電池（９）およびスイッチ（１０）が設けられている。
図２は、花びらの替わりに星（１４）を副画像として描画した例である。図１と同じ符号は同じ物を表す。スイッチを入れると、LEDが発光し、透明体内に下方から上方に光線が通過し、光線が主画像に当たって光輝する。同時に、副画像・気泡も光輝するが、副画像と気泡との区別がない渾然一体となった装飾的画像が主画像を引き立てるように光輝する。透明体（１）の角などに傷がついた場合も、副画像と一体に観察される。
【産業上の利用可能性】
【００２４】
この装飾体は、それ単独で装飾体または神仏具として用いることができるだけでなく、仏壇、神棚等と組み合わせて用いることができる。また、この装飾体を蓋体の一部に設けて、筐体と組み合わせて携帯用神仏具として使用することもできる。
【図面の簡単な説明】
【００２５】
【図１】本発明の装飾体の一例の斜視図。
【図２】本発明の装飾体の他の一例の斜視図。
【符号の説明】
【００２６】
１：透明体
２：灯明の炎の画像（主画像）
３：信仰のシンボル
４：桜の花びらの画像（副画像）
５：気泡
６：台座
７：受け皿
８：LED光源
９：乾電池
１０：スイッチ
１４：星の画像（副画像）
【図１】
2007136878.tif 000003
【図２】
2007136878.tif 000004